(57)【特許請求の範囲】
【請求項１】
遺体の口腔内に装着可能な義歯であって、
板状部材で構成され、
前記板状部材の前面側に、少なくとも、上の歯と下の歯を模した絵柄若しくは形状を有し、
前記板状部材は、厚みが１ｃｍ以下であり、
前記板状部材は、中央部分が突出した曲面を有する略方形状の板状部材であり、
前記板状部材は、前記中央部分から両端部分において上辺と下辺が平行であり、
前記板状部材は、前記両端部分のうちの一方の端部分において上辺と下辺の高さが狭められ、該両端部分のうちの他方の端部分において上辺と下辺の高さが狭められておらず、
前記板状部材は、最も突出した部分から前記一方の端部分までの長さが該最も突出した部分から前記他方の端部分までの長さよりも長くなる、義歯。
【発明の詳細な説明】
【技術分野】
【０００１】
本発明は義歯に関し、特に、遺体の口腔内に装着する義歯に関する。
【背景技術】
【０００２】
従来、遺体の口元に張りを造り、生前の面影を保つ目的で使用する義歯がある（特許文献１）。
【先行技術文献】
【特許文献】
【０００３】
【特許文献１】特開２００９−９５５２４号公報
【発明の概要】
【発明が解決しようとする課題】
【０００４】
しかし、特許文献１に示す義歯は、立体的な造形の上顎義歯と下顎歯を接続部で接続する構成であるため、製造コストが高くなるという問題がある。また、遺体の口腔の大きさに合せた義歯を製造しなければならないという問題がある。
【０００５】
本発明は、このようなことに鑑みてなされたものであり、製造コストを低く抑えつつも、遺体の口腔の大きさに合せなくても使用できる義歯を提供することである。
【課題を解決するための手段】
【０００６】
上記目的は、
遺体の口腔内に装着可能な義歯であって、
板状部材で構成され、
前記板状部材の前面側に、少なくとも、上の歯と下の歯を模した絵柄若しくは形状を有し、
前記板状部材は、厚みが１ｃｍ以下である、義歯
によって達成できる。
【０００７】
また、上記目的は、
前記板状部材は、上下の歯茎に沿って装着することが可能となる曲面を有し、
裏面側にリブ部を有している、上記の義歯
によって達成できる。
【０００８】
また、上記目的は、
前記板状部材は、
シリコンまたは合成樹脂で形成され、
高さを調整することが可能となる切取線を有している、上記の義歯
によっても達成される。
【発明の効果】
【０００９】
本発明によれば、製造コストを低く抑えつつも、遺体の口腔の大きさに合せる必要のない義歯を提供することができる。
【図面の簡単な説明】
【００１０】
【図１】本発明の実施の形態による義歯１０の斜視図である。
【図２】本発明の実施の形態による義歯１０の正面図である。
【図３】本発明の実施の形態による義歯１０の背面図である。
【図４】本発明の実施の形態による義歯１０の右面図である。
【図５】本発明の実施の形態による義歯１０の左面図である。
【図６】本発明の実施の形態による義歯１０の平面図である。
【図７】本発明の実施の形態による義歯１０の底面図である。
【図８】本発明の実施の形態による義歯１０の使用前後の状態を示すイメージ図である。
【図９】本発明の実施の形態による義歯２０の斜視図である。
【図１０】本発明の実施の形態による義歯３０の斜視図である。
【発明を実施するための形態】
【００１１】
本発明の実施の形態による義歯１０について、図１〜図８を用いて説明する。なお、以下の全ての図面においては、理解を容易にするため、各構成要素の寸法や比率などは適宜異ならせて図示する場合がある。
【００１２】
図１は、義歯１０を正面右斜上から見た斜視図である。図２は、義歯１０の正面図であり、図３は、義歯１０の裏面図であり、図４は、義歯１０の右側面図であり、図５は、義歯１０の左側面図であり、図６は、義歯１０の平面図であり、図７は、義歯１０の底面図であり、図８は、義歯１０の使用前後の状態を示すイメージ図である。
【００１３】
義歯１０は、シリコンまたはプラスチック等の合成樹脂の曲面を有する略方形状の板状部材で構成される。板状部材の厚さは、１ｃｍ以下である。好ましくは、５ｍｍ以下、更に好ましくは２ｍｍ以下である。また、板状部材の縦の長さは、３ｃｍであるが、３ｃｍ以外であってもよい。また、板状部材は、口腔内の形状に併せて変形可能な可とう性のある材質を用いるのが好適であり、シリコンまたはプラスチック等の合成樹脂以外でも、皮革、コルク材、紙材、米粉、小麦粉、ゼラチン、イモ類や野菜等の食材を焼結したもの、バイオプラスチック等を用いてもよいし、剛性の高い金属や木材やセラミックスやプラスチック等を用いてもよい。
【００１４】
図１、図２等に示すように、義歯１０の表面側には、上の歯５ａ（６本）と下の歯５ｂ（８本）の絵柄が施された模擬歯部５が設けられる。本例では、模擬歯部５は、歯の絵柄のシール部材を貼付することで構成されるが、これ以外の構成であってもよい。例えば、模擬歯部５は、歯の絵柄を板状部材の表面側に直接印刷する構成であってもよいし、表面に切削加工を施すことで歯を立体的に表す構成であってもよい。
【００１５】
図３に示すように、義歯１０の裏面側には、５本のリブ７が設けられる。このリブ７によって、厚みを薄くしつつも必要な強度を確保することが可能になる。なお、本例では縦方向の強度を高めるようリブを設ける構成であるが、斜め方向や横方向の強度を高めるようリブを設ける構成であってもよい。
【００１６】
また、義歯１０の裏面側には、４本の切取線９が設けられる。上端側に２本、下端側に２本を設けることで、遺体の口腔のサイズに併せて、現場で容易に加工することが可能になる。なお、切取線９が５本以上設けられる場合があってもよいし、切取線９が３本以下となる場合があってもよいし、切取り線を設けない場合があってもよい。この場合においても、本例の義歯１０は厚みを薄くしているため、ハサミ等で容易に切断することが可能である。
【００１７】
図４及び図５に示すように、義歯１０は、左端側及び右端側を狭める形状である。このように、左端側及び右端側を狭めることで、装着容易性を高めている。また、さらに装着容易性を高めるために、義歯１０の表面側の左端側及び右端側に、義歯１０を遺体口腔内に装着する人の指を引っかけやすくする凸部或いは凹部を設けてもよい。
【００１８】
図６及び図７に示すように、義歯１０は、上顎の歯肉面及び下顎の歯肉面に沿うように、略半円状で構成される。また、本例では、義歯１０は硬い材質で構成されるが、上顎の歯肉面及び下顎の歯肉面に併せて変形可能とするように、可とう性のある材質で構成される場合があってもよい。
【００１９】
図８の左側のイラストは、義歯１０を使用した状態のイメージ図であり、図８の右側のイラストは、義歯１０を使用する前の状態のイメージ図である。このように、本実施形態の義歯１０は、遺体の口腔内の上唇と上の歯茎（歯肉）の間と下唇と下の歯茎（歯肉）の間に挿入することで、遺体の口元に張りを造ることが可能となる。
【００２０】
本発明の実施の形態による義歯２０について、図９を用いて説明する。図９は、義歯２０を正面右斜上から見た斜視図である。上述の義歯１０と異なり、義歯２０の両端部分が二股にわかれている。このような構造とすることで、義歯２０の装着性が高まることになる。
【００２１】
本発明の実施の形態による義歯３０について、図１０を用いて説明する。図１０は、義歯３０を正面右斜上から見た斜視図である。上述の義歯１０、２０の右端部分を有していない構造である。。このような構造とすることで、義歯３０の装着性が高まることになる。
【００２２】
本発明は、上述の実施の形態に限らず種々の変形が可能である。また、上述の各実施の形態は、本発明の好適な一例であるので、技術的に好ましい種々の限定が付されているが、本発明の範囲は、上述の説明によって不当に限定されるものではない。また、上述の各実施の形態で説明される構成の全てが本発明の必須の構成要件ではない。
【産業上の利用可能性】
【００２３】
本発明は、遺体の口腔内に装着する義歯ならず、入歯の人の写真撮影用等に用いる義歯においても広く利用可能である。
【符号の説明】
【００２４】
１０、２０  義歯
５  模擬歯部
５ａ  上歯部
５ｂ  下歯部
７  リブ
９  切取線
【図１】
0006893013.tif 000002
【図２】
0006893013.tif 000003
【図３】
0006893013.tif 000004
【図４】
0006893013.tif 000005
【図５】
0006893013.tif 000006
【図６】
0006893013.tif 000007
【図７】
0006893013.tif 000008
【図８】
0006893013.tif 000009
【図９】
0006893013.tif 000010
【図１０】
0006893013.tif 000011